(57)【要約】【課題】  容易にフレーミングをすることができると共に、被写体の動きを確認し易くなり、容易に撮影ができるビューファインダーシステム及びそれを備えた撮像装置を提供する。【解決手段】  リアルタイムのスルー画像が表示されるスルー画像表示部Ｔと、スルー画像表示部Ｔを有するビューファインダーＶと、を備えたビューファインダーシステムにおいて、スルー画像表示部Ｔは、撮影記録する画像の範囲を表す撮影範囲Ｐを表示可能であり、スルー画像に対する撮影範囲Ｐは変更可能である。【選択図】図１
2010171830.tif 000002
【特許請求の範囲】
【請求項１】
リアルタイムのスルー画像が表示されるスルー画像表示部と、
前記スルー画像表示部を有するビューファインダーと、
を備えたビューファインダーシステムにおいて、
前記スルー画像表示部は、表示された画像のうち撮影される画像の範囲を表す撮影範囲を表示可能であり、
前記スルー画像に対する前記撮影範囲は変更可能である
ことを特徴とするビューファインダーシステム。
【請求項２】
以下の式（１）を満足する
ことを特徴とする請求項１に記載のビューファインダーシステム。
Ｉ＝Ｔｄ／Ｐｄ×１００≧１００                          ・・・（１）
ただし、Ｉは表示率（％）、
Ｔｄはスルー画像幅、
Ｐｄは撮影範囲幅、
である。
【請求項３】
前記表示率を指定する表示指定手段と、
前記表示指定手段の指定する表示率に応じて、前記スルー画像表示部の前記撮影範囲に対するスルー画像の表示率を制御する表示制御手段と、
を備える
ことを特徴とする請求項２に記載のビューファインダーシステム。
【請求項４】
前記表示指定手段は、前記撮影範囲に対する前記スルー画像表示部の表示率を指定する表示率指定手段を有する
ことを特徴とする請求項３に記載のビューファインダーシステム。
【請求項５】
前記表示制御手段は、前記表示率指定手段により指定された表示率に応じて、前記スルー画像表示部の前記撮影範囲に対するスルー画像の表示率を制御する表示率制御手段を有する
ことを特徴とする請求項４に記載のビューファインダーシステム。
【請求項６】
前記表示指定手段は、前記撮影範囲の画素数に対する前記スルー画像表示部に表示する画像の画素数を指定する画素数指定手段を有する
ことを特徴とする請求項３〜５に記載のビューファインダーシステム。
【請求項７】
前記表示制御手段は、前記画素数指定手段により指定された画素数に応じて、前記スルー画像表示部の前記撮影範囲に対するスルー画像の画素数を制御する画素数制御手段を有する
ことを特徴とする請求項６に記載のビューファインダーシステム。
【請求項８】
前記表示制御手段は、前記スルー画像表示部の前記撮影範囲の最大画素数に対するスルー画像の画素数を表示する
ことを特徴とする請求項６〜７に記載のビューファインダーシステム。
【請求項９】
前記撮影範囲外の画像に処理を加える
ことを特徴とする請求項１乃至請求項８のいずれか１つに記載のビューファインダーシステム。
【請求項１０】
前記撮影範囲外の画像の解像力を低下させる
ことを特徴とする請求項１乃至請求項９のいずれか１つに記載のビューファインダーシステム。
【請求項１１】
前記撮影範囲外の画像を白黒にする
ことを特徴とする請求項１乃至請求項１０のいずれか１つに記載のビューファインダーシステム。
【請求項１２】
前記撮影範囲に対するスルー画像の表示率を操作する操作手段を備える
ことを特徴とする請求項２乃至請求項１１のいずれか１つに記載のビューファインダーシステム。
【請求項１３】
前記表示制御手段は、前記操作手段の操作に応じて、前記スルー画像表示部の前記撮影範囲に対するスルー画像の表示率をあらかじめ定めた所定値に変更する
ことを特徴とする請求項１２に記載のビューファインダーシステム。
【請求項１４】
前記表示制御手段は、前記操作手段の操作が終了すると、表示率を前記操作手段の操作前の状態に戻す
ことを特徴とする請求項１３に記載のビューファインダーシステム。
【請求項１５】
前記スルー画像表示部の前記撮影範囲及び前記撮影範囲外である参照部分のデータを保存する保存手段を備える
ことを特徴とする請求項１乃至請求項１４のいずれか１つに記載のビューファインダーシステム。
【請求項１６】
前記スルー画像表示部の前記撮影範囲にあわせてＡＦ位置を変化させるＡＦ制御手段を備える
ことを特徴とする請求項１乃至請求項１５のいずれか１つに記載のビューファインダーシステム。
【請求項１７】
前記スルー画像表示部の前記撮影範囲外である参照部分にＡＦ位置を変化させるＡＦ制御手段を備える
ことを特徴とする請求項１乃至請求項１５のいずれか１つに記載のビューファインダーシステム。
【請求項１８】
前記スルー画像表示部の前記撮影範囲にあわせて測光点を変化させるＡＥ制御手段を備える
ことを特徴とする請求項１乃至請求項１７のいずれか１つに記載のビューファインダーシステム。
【請求項１９】
前記スルー画像表示部の前記撮影範囲外である参照部分に測光点を変化させるＡＥ制御手段を備える
ことを特徴とする請求項１乃至請求項１７のいずれか１つに記載のビューファインダーシステム。
【請求項２０】
請求項１乃至請求項１９のいずれか１つに記載の前記ビューファインダーシステムを備えたことを特徴とする撮像装置。
【請求項２１】
前記スルー画像表示部用の画像を撮影するファインダー系レンズと、
前記撮像装置用の画像を撮影記録する撮像レンズと、
を備える
ことを特徴とする請求項２０に記載の撮像装置。
【請求項２２】
前記スルー画像に対する前記撮影範囲の変更は、前記撮像レンズのズームで行う
ことを特徴とする請求項２１に記載の撮像装置。
【発明の詳細な説明】
【技術分野】
【０００１】
本発明は、表示部に表示された物体像を観察するためのビューファインダーシステム及びそれを備えた撮像装置に関する。
【背景技術】
【０００２】
従来、撮影レンズの最も短い焦点距離（広角側）の画角で撮影されたファインダー画像に、撮影範囲の外縁を表す撮影枠を付けてモニタ表示し、近距離撮影時にパララックスが発生した場合には撮影枠をそのパララックス分だけシフトしてモニタ表示するものが開示されている（特許文献１）。
【０００３】
特許文献１の技術では、撮影枠がファインダー画像に比べて著しく小さくなることや中心がずれて見づらいことがあり、撮影範囲の確認がしづらいことがあった。
【０００４】
そこで、中心を含む撮影範囲より大きい範囲をファインダーに表示して、撮影範囲枠を表示し、ファインダー枠を焦点距離に応じて決定するものが知られている（特許文献２）。
【特許文献１】特開２００１−５３９９２号公報
【特許文献２】特開２００７−２６７２０５号公報
【発明の開示】
【発明が解決しようとする課題】
【０００５】
しかしながら、特許文献１に記載された技術では、撮影の際に構図やピントを合わせることが困難であるという問題があった。
【０００６】
本発明は従来技術のこれらの問題点に鑑みてなされたものであり、その目的は、容易にフレーミングをすることができると共に、被写体の動きを確認し易くなり、容易に撮影ができるビューファインダーシステム及びそれを備えた撮像装置を提供することである。
【課題を解決するための手段】
【０００７】
上記目的を達成する本発明に係るビューファインダーシステムは、リアルタイムのスルー画像が表示されるスルー画像表示部と、前記スルー画像表示部を有するビューファインダーと、を備えたビューファインダーシステムにおいて、前記スルー画像表示部は、表示された画像のうち撮影される画像の範囲を表す撮影範囲を表示可能であり、前記スルー画像に対する前記撮影範囲は変更可能であることを特徴とする。
【発明の効果】
【０００８】
本発明によると、撮影範囲外の画像を見ることが可能となるので、容易にフレーミングし、撮影することができるビューファインダーシステム及びそれを備えた撮像装置を得ることができる。
【図面の簡単な説明】
【０００９】
【図１】本発明の実施形態に係る撮像装置を示す図である。
【図２】本発明に係るビューファインダーシステムのシステムブロック図である。
【図３】本発明に係るビューファインダーの第１実施形態のシステムブロック図である。
【図４】本発明に係るビューファインダーシステムの第１実施形態のスルー画像表示部Ｔの表示率１１０％の状態を示す図である。
【図５】本発明に係るビューファインダーシステムの第１実施形態のスルー画像表示部Ｔの表示率２００％の状態を示す図である。
【図６】本発明に係るビューファインダーの第２実施形態のシステムブロック図である。
【図７】本発明に係るビューファインダーシステムの第２実施形態のスルー画像表示部Ｔの表示率１００％の状態を示す図である。
【図８】本発明に係るビューファインダーシステムの第２実施形態のスルー画像表示部Ｔの表示率１５０％の状態を示す図である。
【図９】スルー画像のうち撮影範囲Ｐを除く参照部分Ｐｒに画像処理を施した状態を示す図である。
【図１０】本発明に係るビューファインダーの第３実施形態のシステムブロック図である。
【図１１】第３実施形態のスルー画像表示部Ｔを示す図である。
【図１２】本発明に係るビューファインダーの第４実施形態のシステムブロック図である。
【図１３】本発明に係るビューファインダーの第５実施形態のシステムブロック図である。
【図１４】第５実施形態のスルー画像表示部Ｔを示す図である。
【図１５】第５実施形態のスルー画像表示部Ｔを示す図である。
【図１６】本発明に係るビューファインダーの第６実施形態のシステムブロック図である。
【図１７】本発明に係るビューファインダーの第１〜第６実施形態をすべて組み合わせたシステムブロック図である。
【図１８】本発明の撮像装置の一例であるデジタルカメラの構成を示す図である。
【図１９】本発明の撮像装置を銀塩カメラに適用した場合の構成を示す図である。
【発明を実施するための最良の形態】
【００１０】
本実施形態のビューファインダーシステム及びそれを備えた撮像装置について、以下説明する。
【００１１】
本実施形態のビューファインダーシステムは、リアルタイムのスルー画像が表示されるスルー画像表示部と、スルー画像表示部を有するビューファインダーと、を備えたビューファインダーシステムにおいて、スルー画像表示部は、表示された画像のうち撮影される画像の範囲を表す撮影範囲を表示可能であり、スルー画像に対する撮影範囲は変更可能になっている。
【００１２】
このような構成とすることにより、撮影者は、スルー画像表示部において、撮影範囲外の画像を見ることができる。例えば、被写体が動いている場合、撮影者は、被写体が撮影範囲外から撮影範囲に入っているタイミングを容易に把握することが可能となる。その結果、容易にフレーミングができる。また、そのフレーミングにおいて、容易に被写体を撮影することができる。また、被写体が風景である場合、撮影する風景の範囲をどこまでにするかを容易に決めることができる。なお、撮影範囲とは、撮影が行なわれたとき実際に記録される画像の範囲である。
【００１３】
また、以下の式（１）を満足することが好ましい。
Ｉ＝Ｔｄ／Ｐｄ×１００≧１００                          ・・・（１）
ただし、Ｉは表示率（％）、
Ｔｄはスルー画像幅、
Ｐｄは撮影範囲幅、
である。
【００１４】
式（１）を満足すると、撮影範囲及び撮影範囲外をスルー画像として見ることが可能となる。例えば、被写体の移動先を撮影範囲として撮影を行なうような場合、撮影範囲に入る前から被写体を確認することができる。よって、撮影範囲内に被写体が入ってきたときに、被写体を容易に撮影することができる。
【００１５】
また、表示率を指定する表示指定手段と、表示指定手段の指定する表示率に応じて、スルー画像表示部の撮影範囲に対するスルー画像の表示率を制御する表示制御手段と、を備えることが好ましい。
【００１６】
撮影状況に応じて、表示率を指定することで、撮影範囲及び撮影範囲外を変更することが可能となる。例えば、被写体の大きさや被写体の移動速度に応じて、撮影範囲外を変化させることができる。よって、撮影範囲外にある被写体の動きを確認し易くなるので、被写体を容易に撮影することができる。
【００１７】
また、表示指定手段は、撮影範囲に対するスルー画像表示部の表示率を指定する表示率指定手段を有することが好ましい。
【００１８】
このようにすると、撮影状況に応じて表示率を指定することができる。
【００１９】
また、表示制御手段は、表示率指定手段により指定された表示率に応じて、スルー画像表示部の撮影範囲に対するスルー画像の表示率を制御する表示率制御手段を有することが好ましい。
【００２０】
このようにすると、指定された表示率で撮影範囲及び撮影範囲外を見ることが可能となる。例えば、被写体の大きさや被写体の移動速度に応じて、撮影範囲外を変化させることができる。よって、撮影範囲外にある被写体の動きを確認し易くなるので、被写体を容易に撮影することができる。
【００２１】
また、表示指定手段は、撮影範囲の画素数に対するスルー画像表示部に表示する画像の画素数を指定する画素数指定手段を有することが好ましい。
【００２２】
このようにすると、撮影状況に応じて画素数を指定することができる。
【００２３】
また、表示制御手段は、画素数指定手段により指定された画素数に応じて、スルー画像表示部の撮影範囲に対するスルー画像の画素数を制御する画素数制御手段を有することが好ましい。
【００２４】
このようにすると、指定された画素数で撮影範囲及び撮影範囲外を見ることが可能となる。よって、被写体の動きを確認し易くなるので、被写体を容易に撮影することができる。
【００２５】
また、表示制御手段は、スルー画像表示部の撮影範囲の最大画素数に対するスルー画像の画素数を表示することが好ましい。
【００２６】
このようにすると、撮影範囲に対する表示されているスルー画像の割合を把握することが可能となる。
【００２７】
また、撮影範囲外の画像の解像力を低下させることが好ましい。
【００２８】
このようにすると、撮影範囲の把握が容易になる。
【００２９】
また、撮影範囲外の画像に処理を加えることが好ましい。
【００３０】
このようにすると。撮影範囲の把握が容易になる。
【００３１】
また、撮影範囲外の画像を白黒にすることが好ましい。
【００３２】
このようにすると、撮影範囲の把握が容易になる。
【００３３】
また、撮影範囲に対するスルー画像の表示率を操作する操作手段を備えることが好ましい。
【００３４】
このようにすると、撮影範囲を容易に操作することができる。
【００３５】
また、表示制御手段は、操作手段の操作に応じて、スルー画像表示部の撮影範囲に対するスルー画像の表示率をあらかじめ定めた所定値に変更することが好ましい。
【００３６】
このようにすると、あらかじめ定めた撮影範囲を容易に操作することができる。
【００３７】
また、表示制御手段は、操作手段の操作が終了すると、表示率を操作手段の操作前の状態に戻すことが好ましい。
【００３８】
このようにすると、撮影範囲を容易に操作前の状態に戻すことができる。
【００３９】
また、スルー画像表示部の撮影範囲及び撮影範囲外である参照部分のデータを保存する保存手段を備えることが好ましい。
【００４０】
このようにすると、撮影後でも撮影範囲外の画像を確認することができる。
【００４１】
また、スルー画像表示部の撮影範囲にあわせてＡＦ位置を変化させるＡＦ制御手段を備えることが好ましい。
【００４２】
このようにすると、撮影範囲内でＡＦを行うので、撮影しやすい。
【００４３】
また、スルー画像表示部の撮影範囲外である参照部分にＡＦ位置を変化させるＡＦ制御手段を備えることが好ましい。
【００４４】
このようにすると、例えば、動きのある撮影対象（被写体）が撮影範囲内に入る前、すなわち、撮影範囲外にいる状態でフォーカシングすることができる。よって、撮影を容易に行うことができる。
【００４５】
また、スルー画像表示部の前記範囲にあわせて測光点を変化させるＡＥ制御手段を備えることが好ましい。
【００４６】
このようにすると、撮影範囲内に測光点を有するので、撮影しやすい。
【００４７】
また、スルー画像表示部の撮影範囲外である参照部分に測光点を変化させるＡＥ制御手段を備えることが好ましい。
【００４８】
このようにすると、動きのある撮影対象が撮影範囲内に入る前、すなわち、撮影範囲外にいる状態で測光することができる。よって、撮影を容易に行うことができる。
【００４９】
さらに、ビューファインダーシステムを撮像装置に備えることが好ましい。
【００５０】
このようにすると、撮影が容易になり、最適な撮影をすることができる。
【００５１】
また、スルー画像表示部用の画像を撮影するファインダー系レンズと、撮像装置用の画像を撮影記録する撮像レンズと、を備えることが好ましい。
【００５２】
このようにすると、ファインダー系レンズと撮像レンズを別々に制御することができ、容易に撮影することができる。
【００５３】
また、スルー画像に対する撮影範囲の変更は、撮像装置用の画像を撮影記録する撮像レンズのズームで行うことが好ましい。
【００５４】
このようにすると、容易に撮影することができる。
【００５５】
以下、ビューファインダーシステム及びそれを備えた撮像装置について図面を用いて説明する。
【００５６】
図１は、実施形態に係る撮像装置Ｃを示す図である。撮像装置Ｃは、本体Ｃ１と、この本体Ｃ１に備えられたビューファインダーＶとを有する。なお、Ｄは背面画像表示素子であって、液晶表示素子ＬＣＤと同方向から観察できる位置に配置されている。
【００５７】
ビューファインダーＶは電子ビューファインダー（ＥＶＦ）であって、少なくとも液晶表示素子ＬＣＤを備え、その他に図示しない接眼光学系Ｏと、接眼部Ｅを備えている。ここで、液晶表示素子ＬＣＤは表示部であって、この液晶表示素子ＬＣＤには物体の像が表示される。また、接眼光学系Ｏは、液晶表示素子ＬＣＤに表示された画像を観察者の眼に導く光学系である。また、接眼部Ｅは観察者が覗く部分であって、接眼光学系Ｏの観察者側に配置されている。
【００５８】
液晶表示素子ＬＣＤは、リアルタイムの画像が表示されるスルー画像表示部Ｔと、視野マスクＭと、を有する。スルー画像表示部Ｔは、視野マスクＭよりも大きいことが好ましい。また、スルー画像表示部Ｔには、撮影する範囲（記録する画像の範囲）を表す撮影範囲Ｐを表示可能であり、スルー画像に対する撮影範囲Ｐの幅Ｐｄは変更可能である。
【００５９】
図２は、本実施形態に係るビューファインダーシステムのシステムブロック図である。
【００６０】
図２に示すように、ビューファインダーシステムは、表示制御手段１と、表示指定手段２とを有する。
【００６１】
表示制御手段１は、液晶表示素子ＬＣＤに画像を表示させるものである。液晶表示素子ＬＣＤのスルー画像表示部Ｔには、リアルタイムのスルー画像を表示する。
【００６２】
表示指定手段２は、撮影範囲Ｐに対するスルー画像の表示率を指定するものである。
【００６３】
本実施形態に係るビューファインダーシステムでは、表示指定手段２の指定する表示率に応じて、表示制御手段１がスルー画像表示部Ｔの撮影範囲Ｐに対するスルー画像の表示率を制御するものである。
【００６４】
ここで、表示率Ｉは、以下の式（１）を満足する。
Ｉ＝Ｔｄ／Ｐｄ×１００≧１００                          ・・・（１）
ただし、Ｉは表示率（％）、
Ｔｄはスルー画像幅、
Ｐｄは撮影範囲幅
である。
【００６５】
図３は、第１実施形態のビューファインダーシステムのシステムブロック図、図４は、スルー画像表示部Ｔの表示率１１０％の状態を示す図、図５は、スルー画像表示部Ｔの表示率２００％の状態を示す図である。
【００６６】
図３に示すように、第１実施形態のビューファインダーシステムは、表示制御手段１として表示率制御手段１１を有し、表示指定手段２として表示率指定手段２１を有する。
【００６７】
表示率指定手段２１は、撮影範囲Ｐに対するスルー画像の表示率を指定するものである。
【００６８】
第１実施形態のビューファインダーシステムは、表示率指定手段２１の指定した撮影範囲Ｐに応じて、表示率制御手段１１がスルー画像表示部Ｔの撮影範囲Ｐに対するスルー画像を制御するものである。なお、撮影範囲Ｐは、スルー画像表示部Ｔの中心に表示する必要はない。
【００６９】
図４及び図５に示すように、スルー画像表示部Ｔには、撮影範囲Ｐが点線Ｌ等により表示される。撮影範囲Ｐは撮影状況等に応じて変化させることができる。点線Ｌよりも外側は撮影範囲外である。
【００７０】
図６は、第２実施形態のビューファインダーシステムのシステムブロック図、図７は、スルー画像表示部Ｔの表示率１００％の状態を示す図、図８は、スルー画像表示部Ｔの表示率１５０％の状態を示す図である。
【００７１】
図６に示すように、第２実施形態のビューファインダーシステムは、表示制御手段１として画素数制御手段１２を有し、表示指定手段２として画素数指定手段２２を有する。
【００７２】
画素数指定手段２２は、撮影範囲Ｐの画素数を指定するものである。
【００７３】
第２実施形態のビューファインダーシステムは、画素数指定手段２２の指定した撮影範囲Ｐに応じて、画素数制御手段１２がスルー画像表示部Ｔの撮影範囲Ｐに対するスルー画像の画素数を制御するものである。なお、撮影範囲Ｐは、スルー画像表示部Ｔの中心に表示する必要はない。
【００７４】
図７及び図８に示すように、スルー画像表示部Ｔには、撮影範囲Ｐが点線Ｌ等により表示される。撮影範囲Ｐは、撮影状況に応じて変化させることができる。
【００７５】
また、最大表示率表示手段を有することが好ましい。最大表示率表示手段は、図示しない撮像素子の撮影可能最大画素数に対する撮影画素表示率を表示するものである。
【００７６】
図９は、スルー画像のうち撮影範囲Ｐを除く参照部分Ｐｒ（撮影範囲外）に画像処理を施した状態を示す図である。
【００７７】
図９に示すように、スルー画像のうち撮影範囲Ｐを除く参照部分Ｐｒに何らかの画像処理を施すことが好ましい。例えば、参照部分Ｐｒの解像力を下げたり、参照部分Ｐｒにスモークやハッチング等を施したり、参照部分Ｐｒを白黒画像にする等の画像処理を施すことが好ましい。
【００７８】
図１０は、第３実施形態のビューファインダーシステムのシステムブロック図、図１１は、スルー画像表示部Ｔを示す図である。
【００７９】
図１０に示すように、第３実施形態のビューファインダーシステムは、表示指定手段２として操作手段２３を有する。
【００８０】
操作手段２３は、撮影範囲Ｐに対するスルー画像の表示率を操作するものである。
【００８１】
第３実施形態のビューファインダーシステムは、操作手段２３の操作に応じて、表示制御手段１がスルー画像表示部Ｔの撮影範囲Ｐに対するスルー画像の表示率をあらかじめ定めた所定値に変更するものである。例えば、図１１（ａ）に示すように、表示率が１５０％の状態からレリーズボタンを押すと、図１１（ｂ）に示すように、スルー画像表示部Ｔの大きさに拡大して表示率を１００％とし、レリーズボタンを離すと、再び図１１（ａ）に示すように、表示率が１５０％の状態に戻るように構成すると、好ましい。
【００８２】
図１２は、第４実施形態のビューファインダーシステムのシステムブロック図である。
【００８３】
図１２に示すように、第４実施形態のビューファインダーシステムは、保存手段３１を有する。
【００８４】
保存手段３１は、スルー画像表示部Ｔの撮影範囲Ｐのデータを保存するものである。なお、撮影範囲Ｐを除く参照部分Ｐｒのデータも保存すると好ましい。
【００８５】
図１３は、第５実施形態のビューファインダーシステムのシステムブロック図、図１４及び図１５は、スルー画像表示部Ｔを示す図である。
【００８６】
図１３に示すように、第５実施形態のビューファインダーシステムは、ＡＦ制御手段３２を有する。
【００８７】
ＡＦ制御手段３２は、図１４に示すように、スルー画像表示部Ｔの撮影範囲ＰにあわせてＡＦ位置ＡＦｐを変化させるものである。図１４（ａ）は表示率１５０％の場合、図１４（ｂ）は表示率２００％の場合、図１４（ｃ）は表示率２００％で撮影範囲Ｐがスルー画像表示部Ｔの中心にない場合である。
【００８８】
また、図１５に示すように、スルー画像表示部Ｔの撮影範囲Ｐを除く参照部分ＰｒにＡＦ位置ＡＦｐを変化させてもよい。図１５（ａ）は表示率２００％の場合、図１５（ｂ）は表示率２００％で撮影範囲Ｐがスルー画像表示部Ｔの中心にない場合である。
【００８９】
図１６は、第６実施形態のビューファインダーシステムのシステムブロック図である。
【００９０】
図１６に示すように、第６実施形態のビューファインダーシステムは、ＡＥ制御手段３３を有する。
【００９１】
ＡＥ制御手段３３は、第５実施形態と同様に、図１４に示すように、スルー画像表示部Ｔの撮影範囲Ｐにあわせて測光点ＡＥｐを変化させるものである。図１４（ａ）は表示率１５０％の場合、図１４（ｂ）は表示率２００％の場合、図１４（ｃ）は表示率２００％で撮影範囲Ｐがスルー画像表示部Ｔの中心にない場合である。
【００９２】
また、第５実施形態と同様に、図１５に示すように、スルー画像表示部Ｔの撮影範囲Ｐを除く参照部分Ｐｒに測光点ＡＥｐを変化させてもよい。図１５（ａ）は表示率２００％の場合、図１５（ｂ）は表示率２００％で撮影範囲Ｐがスルー画像表示部Ｔの中心にない場合である。
【００９３】
図１７は、第１〜第６実施形態のビューファインダーシステムをすべて組み合わせたシステムブロック図である。
【００９４】
図１７に示すように、第１〜第６実施形態のビューファインダーシステムは、組み合わせることが可能である。なお、組み合わせる場合には、すべてを組み合わせる必要はなく、様々な組み合わせで組み合わせることが可能である。
【００９５】
また、ビューファインダーシステムを撮像装置に備えることが好ましい。
【００９６】
図１８は、本発明の撮像装置の一例であるデジタルカメラの構成を示す図である。図１８において、符号１１０は撮像装置であるデジタルカメラで、撮像光学系１０１と、フィルター１０２と、撮像素子１０３と、コントローラー１０４と、内蔵メモリー１０５と、電子ビューファインダー１０６と、インターフェイス１０７とより構成されている。
【００９７】
上記撮像装置において、撮像光学系１０１は複数の光学素子（レンズ等）にて構成されている。物体より発した光は、この撮像光学系１０１により集光され、この集光位置に物体像が形成される。そして、この集光位置には、ＣＣＤ等の撮像素子１０３（受光面）が配置されている。撮像素子１０３は、規則正しく配置された光電変換素子の集まりよりなっている。また、モアレ現象の発生を防止するために、ローパス効果を持つフィルター１０２が撮像光学系１０１と撮像素子１０３の間に配置されている。また、赤外光をカットするための赤外カットフィルターを配置することもある。
【００９８】
撮像素子１０３に入射した光束は、その光電変換素子により電気信号（画像信号）に変換される。この電気信号は、コントローラー１０４に入力される。ここで、コントローラー１０４により、ガンマー補正や画像圧縮処理等の信号処理が電気信号に対して行なわれる。信号処理が施された電気信号は、内蔵メモリー１０５やインターフェイス１０７を介してパーソナルコンピューター１０９等に出力される。
【００９９】
電子ビューファインダー１０６は、照明系、画像表示素子及び接眼光学系（接眼レンズ）等で構成されている。ここで、接眼光学系には、上記実施例の接眼光学系Ｏが用いられている。また、画像表示素子としては、上記実施例の反射型表示素子が用いられている。この画像表示素子は、コントローラー１０４によって制御されている。このような構成により、電子ビューファインダー１０６では、撮像しようとする物体の像や撮像された画像を観察者が観察し得るようになっている。また、内蔵メモリー１０５から補助メモリー１０８へ画像データを送ることできる。一方、インターフェイス１０７からは同じ画像データをパーソナルコンピューター１０９へ送ることができる。
【０１００】
図１９は、本発明の撮像装置を銀塩カメラに適用した場合の構成を示すものである。図１９に示すように、銀塩カメラ１２０は、撮像光学系１１１と、フィルム１１２と、対物レンズ１１３と、ＣＣＤ等の撮像素子１１４と、第１のコントローラー１１５と、他の第２のコントローラー１１６とを有する。そしてさらに、図１８のデジタルカメラと同様に、内蔵メモリー１０５と、電子ビューファインダー１０６とを備えている。なお、図示されているように、撮像光学系１１１と対物レンズ１１３とは、別の異なる光学系である。
【０１０１】
この図１９に示す銀塩カメラ１２０では、物体からの光束は撮像光学系１１１により集光され、この集光位置（第１集光位置）に物体像が形成される。第１集光位置には、フィルム１１２が配置されている。また、物体より発した光束は、対物レンズ１１３により集光され、この集光位置（第２集光位置）に物体像が形成される。この第２集光位置には、ＣＣＤ等の撮像素子１１４が配置されている。撮像素子１１４は、規則正しく配置された光電変換素子の集まりよりなっている。
【０１０２】
この撮像素子１１４に入射した光束は、光電変換素子にて電気信号（画像信号）に変換される。この電気信号は、第１のコントローラー１１５に入力される。この第１のコントローラー１１５により、ガンマー補正や画像圧縮処理等の信号処理が行なわれる。信号処理が施された電気信号は、画像表示素子へ送られる。上述のように、電子ビューファインダー１０６は、照明系、画像表示素子及び接眼光学系（接眼レンズ）等で構成されている。接眼光学系には、本実施形態の接眼光学系Ｏが用いられている。この電子ビューファインダー１０６を介して、撮像しようとする物体の像を撮像者は観察し得る。
【０１０３】
一方、内蔵メモリー１０５に蓄積された情報等を用いて、撮像で得られた画像を使用者（観察者）は観察し得る。このような制御は、第１のコントローラー１１５により行なわれる。
【０１０４】
また、撮像光学系１１１を制御するためのものとして、第２のコントローラー１１６を備えている。第２のコントローラー１１６は、撮像光学系１１１に対してズーミングやフォーカシング等の動作を行わせる。ズーミングやフォーカシング等の情報は、この第２のコントローラー１１６からの信号を基に第１のコントローラー１１５にて認識される。第１のコントローラー１１５は、この認識により、画像表示素子に表示する像を撮像画角（ズーミング）に合わせて調節し得る。また、フォーカシング等の情報に基づいて、画像表示素子に表示される像の範囲の補正（パララックス補正）を行なうようにしてもよい。また、第１のコントローラー１１５よりの信号は、内蔵メモリー１０５や図示してないインターフェイスへ送られるようにしても良い。そして、これらの信号（情報）を、インターフェイスを介してパーソナルコンピューター等に出力するようにしてもよい。
【０１０５】
また、撮像光学系１１１とフィルム１１２の間に光路分割素子を配置しても良い。この光路分割素子を介して物体からの光束をファインダー用に導き、撮像素子１１４に物体の像を形成しても良い。そして、この物体像を基に観察を行なうようにしてもよい。この場合、対物レンズ１１３を用いる必要が無い。
【０１０６】
なお、スルー画像表示部用の画像を撮影するファインダー系レンズと、撮像装置用の画像を撮影記録する撮像レンズと、を備えることが好ましい。ファインダー系レンズと撮像レンズを別々に制御することができ、使い勝手が良く、容易に撮影することができる。
【０１０７】
また、スルー画像に対する撮影範囲の変更は、撮像装置用の画像を撮影記録する撮像レンズのズームで行うことが好ましい。使い勝手が良く、容易に撮影することができる。
【０１０８】
以上、本発明のビューファインダーシステム及びそれを備えた撮像装置を実施形態に基づいて説明してきたが、本発明はこれら実施形態に限定されず種々の変形が可能である。
【符号の説明】
【０１０９】
Ｃ…撮像装置
Ｃ１…本体
Ｖ…ビューファインダー
Ｄ…背面画像表示素子
ＬＣＤ…液晶表示素子
Ｏ…接眼光学系
Ｔ…スルー画像表示部
Ｍ…視野マスク
Ｐ…撮影範囲
Ｐｒ…参照部分
１…表示制御手段
１１…表示率制御手段
１２…画素数制御手段
２…表示指定手段
２１…表示率指定手段
２２…画素数指定手段
２３…操作手段
３１…保存手段
３２…ＡＦ制御手段
３３…ＡＥ制御手段
１０１…撮像光学系
１０２…フィルター
１０３…撮像素子
１０４…コントローラー
１０５…内蔵メモリー
１０６…電子ビューファインダー
１０７…インターフェイス
１０８…補助メモリー
１０９…パーソナルコンピューター
１１０…デジタルカメラ
１１１…撮像光学系
１１２…フィルム
１１３…対物レンズ
１１４…撮像素子
１１５…第１のコントローラー
１１６…第２のコントローラー
１２０…銀塩カメラ
【図１】
2010171830.tif 000003
【図２】
2010171830.tif 000004
【図３】
2010171830.tif 000005
【図４】
2010171830.tif 000006
【図５】
2010171830.tif 000007
【図６】
2010171830.tif 000008
【図７】
2010171830.tif 000009
【図８】
2010171830.tif 000010
【図９】
2010171830.tif 000011
【図１０】
2010171830.tif 000012
【図１１】
2010171830.tif 000013
【図１２】
2010171830.tif 000014
【図１３】
2010171830.tif 000015
【図１４】
2010171830.tif 000016
【図１５】
2010171830.tif 000017
【図１６】
2010171830.tif 000018
【図１７】
2010171830.tif 000019
【図１８】
2010171830.tif 000020
【図１９】
2010171830.tif 000021